【手続補正書】
【提出日】平成20年8月7日(2008.8.7)
【手続補正１】
【補正対象書類名】明細書
【補正対象項目名】発明の名称
【補正方法】変更
【補正の内容】
【発明の名称】書込装置及び画像形成装置
【手続補正２】
【補正対象書類名】明細書
【補正対象項目名】特許請求の範囲
【補正方法】変更
【補正の内容】
【特許請求の範囲】
【請求項１】
絶縁性の基材と、
前記基材に配された配線部と、
前記配線部と電気的に接続されて静電潜像の書き込みに用いられるとともに、前記基材表面よりも突出した凸形状の書込電極と、
を有する書込装置。
【請求項２】
前記書込電極の凸形状は、円柱、円錐、截頭円錐台、楕円柱、楕円錘、截頭楕円錘台、長円柱、長円錘、截頭長円錐台のうち、いずれかの形状である請求項１に記載の書込装置。
【請求項３】
前記書込電極は、多角錘、多角柱、截頭多角錘台のうち、いずれかの形状である請求項１に記載の書込装置。
【請求項４】
前記書込電極は、最表層の位置に保護層を有する請求項１から４のいずれか１つに記載の書込装置。
【請求項５】
前記書込電極は、１０6Ωｃｍ〜１０8Ωｃｍの抵抗を有する請求項１から４のいずれか１つに記載の書込装置。
【請求項６】
潜像担持体と、
請求項１〜５のいずれかに記載された書込部と、
前記潜像担持体を現像する現像部と、
前記潜像担持体の像を転写材へ転写する転写部と、
前記潜像担持体を除電する除電部と、
を有することを特徴とする画像形成装置。
【請求項７】
前記潜像担持体は、誘電体である請求項６に記載の画像形成装置。
【請求項８】
前記除電部は、前記潜像担持体に接触するとともに、前記潜像担持体にバイアスを印加する請求項６もしくは７に記載の画像形成装置。
【請求項９】
前記除電部は除電ローラであって、当該除電ローラに印加するバイアスは、直流電圧に交流電圧を重畳した電圧である請求項６ないし８のいずれかに記載の画像形成装置。
【手続補正３】
【補正対象書類名】明細書
【補正対象項目名】００１０
【補正方法】変更
【補正の内容】
【００１０】
【課題を解決するための手段】
この課題を解決するために、本発明の書込装置は、絶縁性の基材と、前記基材に配された配線部と、前記配線部と電気的に接続されて静電潜像の書き込みに用いられるとともに、前記基材表面よりも突出した凸形状の書込電極とを有する。
【手続補正４】
【補正対象書類名】明細書
【補正対象項目名】００１１
【補正方法】変更
【補正の内容】
【００１１】
また、本発明の書込装置は、前記書込装置の凸形状が、円柱、円錐、截頭円錐台、楕円柱、楕円錘、截頭楕円錘台、長円柱、長円錘、截頭長円錐台のうち、いずれかの形状である。
【手続補正５】
【補正対象書類名】明細書
【補正対象項目名】００１２
【補正方法】変更
【補正の内容】
【００１２】
更に、本発明の書込装置は、多角錘、多角柱、截頭多角錘台のうち、いずれかの形状である。
更に、本発明の書込装置は、前記書込電極が最表層の位置に保護層を有する。
【手続補正６】
【補正対象書類名】明細書
【補正対象項目名】００１３
【補正方法】変更
【補正の内容】
【００１３】
更に、本発明の書込装置は、前記書込電極が１０6Ωｃｍ〜１０8Ωｃｍの抵抗を有する。
【手続補正７】
【補正対象書類名】明細書
【補正対象項目名】００１４
【補正方法】変更
【補正の内容】
【００１４】
更に、本発明の画像形成装置は、潜像担持体と、前述の本発明のいずれかの書込部と、前記潜像担持体を現像する現像部と、前記潜像担持体の像を転写材へ転写する転写部と、前記潜像担持体を除電する除電部とを有する。
【手続補正８】
【補正対象書類名】明細書
【補正対象項目名】００１５
【補正方法】変更
【補正の内容】
【００１５】
更に、本発明の画像形成装置は、前記潜像担持体が誘電体である。
更に、本発明の画像形成装置は、前記除電部が前記潜像担持体に接触するとともに、前記潜像担持体にバイアスを印加する。
更に、本発明の画像形成装置は、前記除電部が除電ローラであって、当該除電ローラに印加するバイアスが直流電圧に交流電圧を重畳した電圧である。
【手続補正９】
【補正対象書類名】明細書
【補正対象項目名】００１６
【補正方法】変更
【補正の内容】
【００１６】
【作用】
このように構成された本発明の画像形成装置においては、書込電極の突出した形状の凸部が潜像担持体に接触し、書込装置の全面が潜像担持体に接触することはなくなる。このように、書込電極の凸部が潜像担持体に接触することにより、潜像担持体の表面に付着する異物が容易にすり抜けられるようになり、潜像担持体の表面のフィルミングが防止される。
【手続補正１０】
【補正対象書類名】明細書
【補正対象項目名】００２０
【補正方法】変更
【補正の内容】
【００２０】
特に、本発明においては、書込電極の凸部が種々の形状に形成されるので、種々のタイプの画像形成装置に柔軟に対応することができる。特に、書込電極の凸部が球の一部、円錐、楕円錐、長円錐、三角錐、四角錐、および５角以上の多角錐で形成されることで、書込電極と潜像担持体とが点接触する。したがって、潜像担持体の表面に付着する異物がより一層確実にすり抜けられるようになる。また、書込電極の凸部が円柱、截頭円錐台、楕円柱、截頭楕円錐台、長円柱、截頭長円錐台、三角柱、截頭三角錐台、横断面が平行四辺形あるいは台形の四角柱、横断面が平行四辺形あるいは台形の截頭四角錐台、５角以上の多角柱、５角以上の多角錐、および５角以上の截頭多角錐台で形成されることで、書込電極の側面が副走査方向に傾斜するようになる。したがって、潜像担持体の表面に付着する異物がこの傾斜面沿って容易にすり抜けられるようになる。
【手続補正１１】
【補正対象書類名】明細書
【補正対象項目名】００２１
【補正方法】変更
【補正の内容】
【００２１】
また、本発明においては、少なくとも書込電極が保護層によりオーバーコートされるようになる。この保護層により、書込電極の摩耗が防止されるとともに、異物が書込電極に付着し難くなる。
【手続補正１２】
【補正対象書類名】明細書
【補正対象項目名】００２２
【補正方法】変更
【補正の内容】
【００２２】
更に、本発明においては、書込電極の潜像担持体に対向する部分が摩耗性の部材から構成されることで、書込電極の表面が潜像担持体に接触することで削られてリフレッシュすることにより、書込電極の表面は常時初期状態に保持され、書込電極のフィルミングが防止されるようになる。
【手続補正１３】
【補正対象書類名】明細書
【補正対象項目名】００２３
【補正方法】変更
【補正の内容】
【００２３】
更に、本発明においては、転写後に潜像担持体に残留する残留現像剤が、現像装置の一成分現像剤がもともと持つべき極性と同じ極性に帯電されるようになる。したがって、現像時に、潜像担持体上の非画像部にありかつこのように帯電された残留現像剤は現像装置の現像ローラの方へ移動し、また、潜像担持体上の画像部にありかつこのように帯電された残留現像剤はそのまま潜像担持体に残って現像剤像として用いられるようになる。そして、潜像担持体上の非画像部にある残留現像剤の現像ローラへの移動により、潜像担持体のクリーニングがクリーナを設けなくても行われるようになる。すなわち、本発明の画像形成装置は、クリーナを設けることなく、現像とクリーニングを同時に行うクリーナレス現像同時クリーニング方式により画像形成を行うようになる。
【手続補正１４】
【補正対象書類名】明細書
【補正対象項目名】００２４
【補正方法】変更
【補正の内容】
【００２４】
このように本発明の画像形成装置は、本発明の書込装置を用いることにより、より小型でよりシンプルな構成となるが、これに加えて、クリーナ装置を設けないクリーナレスになるので、更にシンプルな構成となる。
【手続補正１５】
【補正対象書類名】明細書
【補正対象項目名】００２５
【補正方法】変更
【補正の内容】
【００２５】
更に、本発明においては、少なくとも書込電極と潜像担持体との間に多数の微小粒子が介在されるので、これらの微小粒子により、潜像担持体の表面に付着する異物が容易にすり抜けられるようになり、潜像担持体の表面および書込電極の表面のフィルミングが防止されるようになる。また、これらの微小粒子が回転することにより、書込電極と潜像担持体との間の摩擦が低減するので、潜像担持体を回転させるトルクが低減する。
【手続補正１６】
【補正対象書類名】明細書
【補正対象項目名】００２７
【補正方法】変更
【補正の内容】
【００２７】
更に、本発明においては、転写後に潜像担持体に残留する残留現像剤が、潜像担持体一様電荷制御装置による潜像担持体の一様電荷制御と同時にもともと現像装置の現像剤が持つべき極性と同じ極性に帯電されるので、この残留現像剤の帯電がより簡単に行われるようになる。
【手続補正１７】
【補正対象書類名】明細書
【補正対象項目名】００２８
【補正方法】変更
【補正の内容】
【００２８】
更に、本発明においては、現像が反転現像法により行われるようになる。この反転現像法においては、潜像担持体の一様電荷制御工程で残留現像剤が現像装置の現像剤と同じ帯電極性に揃えられるため、現像同時クリーニングがより簡単にかつより有効に行われるようになる。
【手続補正１８】
【補正対象書類名】明細書
【補正対象項目名】０１３３
【補正方法】変更
【補正の内容】
【０１３３】
【発明の効果】
以上の説明から明らかなように、本発明によれば、書込電極の突出した形状の凸部を潜像担持体に接触させて、書込電極の全面が潜像担持体に接触するのをなくしているので、潜像担持体の表面に付着する異物を容易にすり抜けさせることができ、潜像担持体の表面のフィルミングを防止できる。
【手続補正１９】
【補正対象書類名】明細書
【補正対象項目名】０１３７
【補正方法】変更
【補正の内容】
【０１３７】
特に、本発明によれば、書込電極の凸部が種々の形状に形成されるので、種々のタイプの画像形成装置に柔軟に対応することができる。特に、書込電極の凸部を球の一部、円錐、楕円錐、長円錐、三角錐、四角錐、および５角以上の多角錐で形成することで、書込電極と潜像担持体とが点接触するので、潜像担持体の表面に付着する異物をより一層確実にすり抜けさせることができる。また、書込電極の凸部を円柱、截頭円錐台、楕円柱、截頭楕円錐台、長円柱、截頭長円錐台、三角柱、截頭三角錐台、横断面が平行四辺形あるいは台形の四角柱、横断面が平行四辺形あるいは台形の截頭四角錐台、５角以上の多角柱、５角以上の多角錐、および５角以上の截頭多角錐台で形成することで、書込電極の側面が副走査方向に傾斜するようになるので、潜像担持体の表面に付着する異物をこの傾斜面沿って容易にすり抜けさせることができる。
【手続補正２０】
【補正対象書類名】明細書
【補正対象項目名】０１３８
【補正方法】変更
【補正の内容】
【０１３８】
また、本発明によれば、少なくとも書込電極を保護層によりオーバーコートしているので、この保護層により、書込電極の摩耗を防止できるとともに、異物が書込電極に付着するのを防止できる。
【手続補正２１】
【補正対象書類名】明細書
【補正対象項目名】０１３９
【補正方法】変更
【補正の内容】
【０１３９】
更に、本発明によれば、書込電極の潜像担持体に対向する部分を摩耗性の部材から構成しているので、書込電極の表面が潜像担持体に接触することで削られてリフレッシュすることにより、書込電極を常時初期状態の表面に保持でき、書込電極のフィルミングを防止できるようになる。
【手続補正２２】
【補正対象書類名】明細書
【補正対象項目名】０１４０
【補正方法】変更
【補正の内容】
【０１４０】
更に、本発明によれば、転写後に潜像担持体に残留する残留現像剤を、静電潜像の現像前に現像装置の現像剤がもともと持つべき極性と同じ極性に帯電させるようにしているので、潜像担持体上の非画像部にある残留現像剤を現像装置による現像時に現像装置に移動させることができるようになる。すなわち、クリーナを設けることなく、現像と潜像担持体のクリーニングを同時に行うクリーナレス現像同時クリーニング方式により画像形成を行うことができる。
【手続補正２３】
【補正対象書類名】明細書
【補正対象項目名】０１４２
【補正方法】変更
【補正の内容】
【０１４２】
更に、本発明によれば、少なくとも書込電極と潜像担持体との間に多数の微小粒子を介在させているので、これらの微小粒子により、潜像担持体の表面に付着する異物を容易にすり抜けさせることができ、潜像担持体の表面および書込電極の表面のフィルミングを防止できるようになる。また、これらの微小粒子を回転させることにより書込電極と潜像担持体との間の摩擦を低減できるので、潜像担持体を回転させるトルクを低減できる。
【手続補正２４】
【補正対象書類名】明細書
【補正対象項目名】０１４４
【補正方法】変更
【補正の内容】
【０１４４】
また、本発明によれば、転写後に潜像担持体に残留する残留現像剤を、潜像担持体の一様電荷制御と同時に現像装置の現像剤がもともと持つべき極性と同じ極性に帯電させているので、この残留現像剤の帯電をより簡単に行うことができる。
【手続補正２５】
【補正対象書類名】明細書
【補正対象項目名】０１４５
【補正方法】変更
【補正の内容】
【０１４５】
更に、本発明によれば、現像を反転現像法により行っているので、潜像担持体の一様電荷制御工程で残留現像剤が現像剤と同じ帯電極性に揃えられるため、現像同時クリーニングをより簡単にかつより有効に行うことができるようになる。